(57)【要約】【課題】上記従来の装置では、端子そのものの名前、もしくはプリセットされた機器名しかユーザーに提示されず、所望の機器を選択するには不十分な情報であった。本発明は、入力切換に必要な画像情報を受信機とビデオ機器の間で通信に基づいて取得することでより確実に入力切換ができるようにすることを目的とする。【解決手段】本発明のテレビジョンを受信する受信装置は、代表画面を表示するコマンドを各ビデオ機器に通知する手段と、各ビデオ機器は代表画面をビデオ出力する手段を備え、受信機はそれぞれの入力画面を保存し、一覧で提示する代表画面を表示に基づいて、入力切換をすることを特徴とする。【選択図】図１
2007295074.tif 000002
【特許請求の範囲】
【請求項１】
テレビジョンを受信する受信装置であって、代表画面を表示するコマンドを各ビデオ機器に通知する代表画面表示手段と、各ビデオ機器は代表画面をビデオ出力する代表画面出力手段を備え、受信機はそれぞれの入力画面を保存し、一覧で提示する代表画面を表示に基づいて、入力切換をすることを特徴とするテレビジョン受信装置。
【請求項２】
テレビジョンを受信する受信装置であって、代表画面を表示するコマンドを各ビデオ機器に通知する代表画面表示手段と、各ビデオ機器は代表画面をビデオ出力する代表画面出力手段と提示可能な出力画像の一覧の提示手段を備え、受信機はそれぞれの入力画面を多数決し、一覧で提示する代表画面を表示に基づいて、入力切換をすることを特徴とするテレビジョン受信装置。
【請求項３】
テレビジョンを受信する受信装置であって、代表画面を表示するコマンドを各ビデオ機器に通知する代表画面表示手段と、各ビデオ機器は代表画面をビデオ出力する代表画面出力手段と提示可能な出力画像の一覧の提示手段を備え、受信機はそれぞれの画面の優先順位に基づき一覧で提示する代表画面を表示し、その表示に基づいて、入力切換をすることを特徴とするテレビジョン受信装置。
【発明の詳細な説明】
【技術分野】
【０００１】
本発明は入力切換に必要な画像情報を提示することを特徴とするテレビジョン受信装置に関するものである。
【背景技術】
【０００２】
従来の受信装置において、入力を切り替える場合、リモコンにより入力を順次切換する、あるいは、専用ボタンによる直接指定、一覧表示からの選択という方法がある。例えば、特許文献１に記載されているように、映像信号の入力端子のピンの検出と入力端子を介した映像信号の検出を行うことにより、テレビジョン受像機と外部接続機器との接続状況や外部接続機器の電源の状態を自動的に認識し、その接続状況や電源の状態をオンスクリーン表示し、さらに、それらの接続状況や電源の状態により選択する順序を入れ換えることにより、使用者の所望の入力系統に対して、リモコンにおいて少ない操作回数や操作スイッチ数で入力系統を切り換えることが知られている。
【特許文献１】特開２０００−４１１９６号公報
【発明の開示】
【発明が解決しようとする課題】
【０００３】
しかしながら、上記に記載した従来の受信装置において、入力端子そのものの名前、もしくはプリセットされた機器名しかユーザーに提示されず、所望の機器を選択するには不十分な情報であった。例えば、テレビジョン受信装置のＡＶ端子が複数存在している場合に、ユーザーは、テレビジョン受信装置に複数の記録機器が接続されている場合に、現在表示中の記録機器から出力された映像信号が複数の記録機器の中のどの記録機器からの映像信号であるかということを識別するためには、各ＡＶ端子と各記録機器の接続されている配線を確認することにより、テレビジョン受信装置の各ＡＶ端子に接続されている接続機器を認識することが必要であり、非常に煩雑な動作が必要とされていた。
【０００４】
そこで、本発明は、入力切換に必要な画像情報を受信機とビデオ機器の間で通信に基づいて取得することで、より確実に、また容易に入力切換ができるようにすることを目的とするものである。
【課題を解決するための手段】
【０００５】
本発明のテレビジョンを受信する受信装置は、代表画面を表示するコマンドを各ビデオ機器に通知する手段と、各ビデオ機器は代表画面をビデオ出力する手段を備え、受信機はそれぞれの入力画面を保存し、一覧で提示する代表画面を表示に基づいて、入力切換をすることを特徴とする。
【発明の効果】
【０００６】
本発明のテレビジョン受信装置によれば、一覧で提示する代表画面を表示に基づいて、容易かつ確実に受信機の入力切換をすることが可能になるものである。
【発明を実施するための最良の形態】
【０００７】
（実施の形態１）
図１は本発明のテレビジョン受信装置の構成を示したブロック図である。１０１はチューナーであり、電波による放送やケーブル放送などを通じて得られた情報をデコードし映像・音声情報として出力する。アナログ、デジタルなど方式は問わない。１０２はオンスクリーンディスプレイである。１０３はＣＰＵ、１０４はプログラムを格納するＲＯＭ、１０５は主記憶のＲＡＭである。１０６は外部機器との接続のための外部入力である。１０８はテレビジョン受信装置１０８を操作するためのリモコン。２１０はテレビジョン受信装置１０８に接続される外部機器の一例である。代表画面出力手段２１２を持つことを特徴とする。
【０００８】
本発明の第１の実施形態のテレビジョン受信装置について図１を用いて説明する。最初に、利用者がリモコン１０８を用いて、テレビジョン受信装置１０９に対して、入力切換の操作の開始を伝える。リモコン信号は受光部１０７で受信され、ＲＯＭ１０４に格納されたプログラムに基づき、ＣＰＵ１０３で処理される。ＣＰＵ１０３でリモコン信号が入力切換を示すものと判断すると、代表画面表示手段１１１に通知され、代表画面通知手段は外部機器２１０に対して、外部入力１０６を通じて、代表画面の表示を要求する。
【０００９】
代表画面表示の要求を受け取った外部機器２１０は、代表画面出力手段２１２で作成された代表画面を外部出力２０２を通じて出力する。テレビジョン受信装置１０９は、出力された映像を外部入力１０６を通じて受信し、代表画面表示手段１１１において画面を合成し、画像処理部１０２に送り、利用者に提示する。提示画面の例は図４である。利用者は提示された画面をもとに、リモコン１０８を用いて操作し、所望のビデオ機器を選択する。
【００１０】
この実施形態では、外部入力に冗長された情報で通信を行っているが、別途通信のための回路や、リモコン信号などを用いても良い。また代表画面の取得要求の前に電源を入れるための通信を行うこともある。また、取得した代表画面はテレビジョン受信装置１０８内に保存することが可能で、通信完了前に使用者に提示することも可能である。また、代表画像は映像として出力しているが、画像データとして、通信回線を通じて送信しても良い。
【００１１】
次に、上述したテレビジョン受信装置の動作について、図１及び図７のフローチャートを参照して説明する。まず、テレビジョン受信装置１０９と外部機器２１０と通信可能であるか確認する（Ｆ１０１）。外部機器２１０との通信が可能であれば、外部機器２１０に対して、通信を行い代表画面の取得が可能であるか確かめる（Ｆ１０２）、代表画面を取得し（Ｆ１０３）、代表画面をメモリー上に記憶する（Ｆ１０４）。
【００１２】
このフローチャートは一台のビデオ機器に対する情報取得処理に関するものであるため、この処理が台数分繰り返し行われる。台数分の処理が完了すると、代表画面表示手段１１１において、図４の代表画面一覧を利用者に提示する。利用者は提示された画面をもとに、リモコン１０８を用いて操作し、所望のビデオ機器を選択する。
【００１３】
以上のように、この実施の形態１により、入力切換に必要な画像情報を受信機とビデオ機器の間で通信に基づいて取得し、テレビジョン受信装置１０９にて代表画面を表示することで、より確実に、また容易に入力切換ができるようにすることが可能になるものである。
【００１４】
（実施の形態２）
本発明のテレビジョン受信装置１０９の実施の形態２について図２を用いて説明する。この実施の形態２においては、上述した実施の形態１に加えて代表画面選択手段１１２を追加している。上述した実施の形態１と重複した構成については、その構成の説明を省略する。ここで、代表画面選択手段では、外部機器２１０から送信された複数の代表画面をユーザーの選択に応じて選択することを可能にするため、外部機器２１０の外部出力２０２を介して送信された代表画面のデータをテレビジョン受信装置１０９の外部入力１０６を介して受信し、さらにＣＰＵ１０３による制御に基づいて、リモコン１０８によりユーザーから入力された選択画面を受光部１０７によって受信し、外部入力１０６から入力された代表画面のうち、ユーザーの所望の代表画面を選別する処理を行う。
【００１５】
以上のような構成からなるテレビジョン受信装置１０９の処理動作について詳細に説明する。最初に、利用者がリモコン１０８を用いて、テレビジョン受信装置１０９に対して、入力切換の操作の開始を伝える。ここで、この入力切換とは、テレビジョン受信装置１０９に接続された外部機器２１０をテレビジョン受信装置１０９に接続された他の外部機器へと接続を切り換えることを意味する。
【００１６】
リモコン信号は受光部１０７で受信され、ＲＯＭ１０４に格納されたリモコン信号に対する処理プログラムに基づき、ＣＰＵ１０３で処理される。ＣＰＵ１０３でリモコン信号が入力切換を示すものと判断すると、代表画面表示手段１１１に通知され、代表画面通知手段は外部機器２１０に対して、外部入力１０６を通じて、代表画面の表示可能な種類の一覧を要求する。
【００１７】
代表画面の種類の一覧の表示要求を受け取った外部機器２１０は、代表画面出力手段２１２で作成された代表画面種類一覧を、外部出力２０２を通じて出力する。代表画面表示手段１１１は、テレビジョン受信装置１０９に接続された他の外部機器（図示せず）に対しても同様の処理を繰り返し、代表画面の画像情報を収集する。収集された情報は代表画面選択手段１１２で処理され、最も統一して表示できる表示内容を選択（多数決）する。この要求をテレビジョン受信装置１０９に接続された外部機器（図示せず）の台数分繰り返す。なお、この場合にテレビジョン受信装置１０９に接続され電源が入力されていると確認された外部機器の代表画面の種類の一覧を要求することも可能である。具体的には、テレビジョン受信装置１０９と外部機器とが接続されている電源のラインにより、外部機器の電源が入力されているか否かを判別する。これにより、効率的にテレビジョン受信装置１０９は代表画面を取得することが可能になる。
【００１８】
次に、テレビジョン受信装置１０９は出力された映像を、外部入力１０６を通じて受信し、代表画面表示の要求を受け取った外部機器２１０は、代表画面出力手段２１２で作成された代表画面を外部出力２０２を通じて出力する。テレビジョン受信装置１０９は、出力された映像を外部入力１０６を通じて受信し、代表画面表示手段１１１において画面を合成し、画像処理部１０２に送り、利用者に提示する。
【００１９】
この提示画面の一例を図４に示す。利用者は提示された画面をもとに、リモコン１０８を用いて操作し、所望のビデオ機器を選択する。
【００２０】
この実施の形態では、外部入力に冗長された情報で通信を行っているが、別途通信のための回路や、リモコン信号などを用いても良い。また代表画面の取得要求の前に電源を入れるための通信を行うこともある。また、取得した代表画面はテレビジョン受信装置１０８内に保存することが可能で、通信完了前に使用者に提示することも可能である。また、代表画像は映像として出力しているが、画像データとして、通信回線を通じて送信しても良い。
【００２１】
次に、上述したテレビジョン受信装置の動作について、図２及び図５、図７のフローチャートを参照してより詳細に説明する。まず、ビデオ機器と通信可能であるか確かめる（Ｆ２０１）。通信が可能であれば、外部機器２１０に対して、通信を行い代表画面の取得が可能であるか確かめる（Ｆ２０２）、代表画面種類を取得し（Ｆ２０３）、台数分繰り返し行われる（Ｆ２０４）。台数分の処理が完了すると、代表画面種類別合計（Ｆ２０５）を集計する。図５は集計結果の例である。この表を元に合計の一番多いものを代表画面とする（Ｆ２０６）。図５においては、機器名のみが４台中４台表示可能でるため、機器名の表示が選択される。ここで複数の代表画面の種類が同数であった場合は、優先度を元に選択される。代表画面が決まれば、代表画面表示手段１１１において、図４の代表画面一覧を利用者に提示する。利用者は提示された画面をもとに、リモコン１０８を用いて操作し、所望のビデオ機器を選択する。
【００２２】
以上のように、この実施の形態２により、入力切換に必要な画像情報を受信機とビデオ機器の間で通信に基づいて取得し、テレビジョン受信装置１０９にて代表画面を表示することで、より確実に、また容易に入力切換ができるようにすることが可能になるものである。さらに、この実施の形態２により、複数の代表画面からユーザーが所望の代表画面を選択することにより、ユーザーがより簡便に入力切換が可能になるものである。
【００２３】
（実施の形態３）
本発明のテレビジョン受信装置１０９の実施の形態３について、図３を参照して説明する。最初に利用者がリモコン１０８を用いて、テレビジョン受信装置１０９に対して、入力切換の操作の開始を伝える。リモコン信号は受光部１０７で受信され、ＲＯＭ１０４に格納されたプログラムに基づき、ＣＰＵ１０３で処理される。ＣＰＵ１０３でリモコン信号が入力切換を示すものと判断すると、代表画面表示手段１１１に通知され、代表画面通知手段は外部機器２１０に対して、外部入力１０６を通じて、代表画面の表示可能な種類の一覧を要求する。
【００２４】
代表画面種類一覧の要求を受け取った外部機器２１０は代表画面出力手段２１２で作成された代表画面種類一覧を、外部出力２０２を通じて出力する。代表画面表示手段１１１は他の外部機器に対しても同様の処理を繰り返し、情報を収集する。収集された情報は代表画面選択手段１１３で処理され、最も優先度の高い表示内容を機器ごとに選択し、外部機器２１０に対して、外部入力１０６を通じて、代表画面の表示可能な種類の一覧を要求する。この要求を接続された台数分繰り返す。
【００２５】
テレビジョン受信装置１０９は、出力された映像を外部入力１０６を通じて受信し、代表画面表示の要求を受け取った外部機器２１０は、代表画面出力手段２１２で作成された代表画面を外部出力２０２を通じて出力する。テレビジョン受信装置１０９は、出力された映像を外部入力１０６を通じて受信し、代表画面表示手段１１１において画面を合成し、画像処理部１０２に送り、利用者に提示する。提示画面の例は図４である。利用者は提示された画面をもとに、リモコン１０８を用いて操作し、所望のビデオ機器を選択する。
【００２６】
この実施形態では、外部入力に冗長された情報で通信を行っているが、別途通信のための回路や、リモコン信号などを用いても良い。また代表画面の取得要求の前に電源を入れるための通信を行うこともある。また、取得した代表画面はテレビジョン受信装置１０８内に保存することが可能で、通信完了前に使用者に提示することも可能である。また、代表画像は映像として出力しているが、画像データとして、通信回線を通じて送信しても良い。
【００２７】
次に、上述したテレビジョン受信装置の動作について、図３及び図６、図８を参照して説明する。まず、ビデオ機器と通信可能であるか確かめる（Ｆ３０１）。通信が可能であれば、外部機器２１０に対して、通信を行い代表画面の取得が可能であるか確かめる（Ｆ３０２）、代表画面種類を取得し（Ｆ３０３）、取得可能画像のうち一番優先度の高いものを代表とする（Ｆ３０４）。この処理は台数分繰り返し行われる（Ｆ３０５）。台数分の処理が完了すると、代表画面表示手段１１１において、台数分の画像取得処理を行い図４の代表画面一覧を利用者に提示する。利用者は提示された画面をもとに、リモコン１０８を用いて操作し、所望のビデオ機器を選択する。
【００２８】
以上のように、この実施の形態３により、入力切換に必要な画像情報を受信機とビデオ機器の間で通信に基づいて取得し、テレビジョン受信装置１０９にて代表画面を表示することで、より確実に、また容易に入力切換ができるようにすることが可能になるものである。さらに、この実施の形態３により、複数の代表画面から優先順位の高い代表画面を選択することにより、ユーザーがより簡便に入力切換が可能になるものである。
【産業上の利用可能性】
【００２９】
本発明にかかるテレビジョン受信器では、一覧表示した代表画面の表示内容に基づいて、容易かつ確実に受信器の入力切り替えを行うことができ、複数の機器と接続されたテレビジョン受信器において有用である。
【図面の簡単な説明】
【００３０】
【図１】本発明のテレビジョン受信装置の構成を示すブロック図
【図２】本発明のテレビジョン受信装置の構成を示すブロック図
【図３】本発明のテレビジョン受信装置の構成を示すブロック図
【図４】本発明のテレビジョン受信装置の表示例を示す図
【図５】本発明のテレビジョン受信装置の保存データの一例を示す図
【図６】本発明のテレビジョン受信装置の保存データの一例を示す図
【図７】本発明のテレビジョン受信装置の処理の流れを示すフローチャート
【図８】本発明のテレビジョン受信装置の処理の流れを示すフローチャート
【図９】本発明のテレビジョン受信装置の処理の流れを示すフローチャート
【図１０】従来のテレビジョン受信装置の構成を示すブロック図
【図１１】従来のテレビジョン受信装置の表示を示すブロック図
【符号の説明】
【００３１】
１０１    チューナー
１０２    画像処理部
１０３    ＣＰＵ
１０４    ＲＯＭ
１０５    ＲＡＭ
１０７    受光部
１０８    リモコン
１０９    テレビ受信機
１１０    アンテナ
１１１    代表画面表示手段
２０１    チューナー
２０２    外部出力
２０３    ＣＰＵ
２０４    ＲＯＭ
２０５    ＲＡＭ
２０６    記録部
２０７    画像処理部
２０８    リモコン
２１０    ビデオデッキ
２１１    アンテナ
２１２    代表画面出力手段
【図１】
2007295074.tif 000003
【図２】
2007295074.tif 000004
【図３】
2007295074.tif 000005
【図４】
2007295074.tif 000006
【図５】
2007295074.tif 000007
【図６】
2007295074.tif 000008
【図７】
2007295074.tif 000009
【図８】
2007295074.tif 000010
【図９】
2007295074.tif 000011
【図１０】
2007295074.tif 000012
【図１１】
2007295074.tif 000013